(57)【特許請求の範囲】
【請求項１】
プレート形状の家具部分のための支持部（１２）であって、前記支持部（１２）は、前記家具部分側に折り曲げ可能な少なくとも一つのタブ（１４）を有する受け部（１３）を有しており、前記少なくとも一つのタブ（１４）は、当初位置では、前記受け部（１３）の開口部（２５）内に配置されており、前記タブ（１４）および／または前記開口部（２５）の縁部は、ガイド装置（１８）を有しており、ネジ（１５）をねじ込むことにより前記開口部（２５）の前記縁部側に横方向に移動される前記タブ（１４）は、保持されている当初位置から前記家具部分側に動いて前記ガイド装置（１８）に案内され前記開口部（２５）から突き出すことを特徴とする支持部。
【請求項２】
前記プレート形状の家具部分が引出し底部（８）であることを特徴とする請求項１記載の支持部。
【請求項３】
前記ガイド装置（１８）は、前記タブ（１４）および／または前記開口部（２５）の前記縁部に傾斜面を有することを特徴とする請求項１または２記載の支持部。
【請求項４】
前記当初位置において、前記少なくとも一つのタブ（１４）は、前記開口部（２５）とほぼ同一面に配置されていることを特徴とする請求項１から３のいずれかに記載の支持部。
【請求項５】
前記受け部（１３）は、前記ネジ（１５）を受領するための穴部（１６）を有することを特徴とする請求項１から４のいずれかに記載の支持部。
【請求項６】
前記保持されている当初位置において、前記少なくとも一つのタブ（１４）は、前記受け部（１３）と前記プレート形状の家具部分（８）との間に配置されていることを特徴とする請求項１から５のいずれかに記載の支持部。
【請求項７】
前記少なくとも一つのタブ（１４）は、自由端を備えた刃形状であることを特徴とする請求項１から６のいずれかに記載の支持部。
【請求項８】
前記支持部（１２）に接続された受部分（１９）が提供されており、前記タブ（１４）が接触した前記プレート形状の家具部分（８）は、前記受部分（１９）を押圧することを特徴とする請求項１から７のいずれかに記載の支持部。
【請求項９】
前記受部分（１９）は、引出し側壁（９）上の突出部の形態であることを特徴とする請求項８記載の支持部。
【請求項１０】
前記ネジ（１５）をねじ込むことによって、相対的に可動な少なくとも２つのタブ（１４）が提供されていることを特徴とする請求項１から９のいずれかに記載の支持部。
【請求項１１】
前記少なくとも２つのタブ（１４）は、ほぼ対称の形態であることを特徴とする請求項１０記載の支持部。
【請求項１２】
前記支持部（１２）は、引出し側壁（９）に接続されているか、またはそこに解放可能に接続されていることを特徴とする請求項１から１１のいずれかに記載の支持部。
【請求項１３】
前記受け部（１３）は、取り付け位置では、ほぼ水平に延伸していることを特徴とする請求項１から１２のいずれかに記載の支持部。
【請求項１４】
請求項１から１３のいずれかに記載の支持部を有する引出し側壁。
【請求項１５】
請求項１４記載の引出し側壁を少なくとも一つ有する引出し。
【発明の詳細な説明】
【技術分野】
【０００１】
本発明は、特に引出し底部であるプレート形状の家具部分のための支持部に関する。支持部は、家具部分側に折り曲げ可能な少なくとも一つのタブを有する受け部を有する。
【０００２】
本発明は、さらに、前述の支持部を有する引出し側壁と、そのような引出し側壁を有する引出しにも関する。
【背景技術】
【０００３】
金属突起部材または金属部材部分などから作られる空洞チャンバ部材の形態の引出し側壁は、引出し底部を固定する目的で、そこに引出し底部の横方向縁部領域を支持できる横方向受け部を有することが多い。引出し側壁に対して引出し底部が移動するのを防止するため、受け部にタブが打ち抜かれており、これら引出し底部の配置後にこれらは、引出し底部に押し込まれて固定作用を提供する。
【０００４】
このような引出し底部のための固定オプションは、例えば本出願人の特許文献１において解説されている。この場合の欠点は、タブを特殊な工具で底部プレートの材料に押し込まなければならないことであり、相当に強い力を必要とすることである。
【０００５】
特許文献２、特許文献３、特許文献４および特許文献５は、それぞれ引出しフレーム部材に配置された折り曲げ可能なタブによって固定される引出し底部を備えた引出しについて解説している。
【先行技術文献】
【特許文献】
【０００６】
【特許文献１】欧州特許第８８８７３７Ｂ１号明細書
【特許文献２】欧州特許出願公開第６９２２０８Ａ１号明細書
【特許文献３】欧州特許出願公開第８８８７３７Ａ１号明細書
【特許文献４】西独国実用新案出願公開第９１１３００６Ｕ１号明細書
【特許文献５】西独国実用新案出願公開第９１１３４７７Ｕ１号明細書
【発明の概要】
【発明が解決しようとする課題】
【０００７】
本発明の目的は、明細書の当初部分で解説した一般的な支持部を提供することであり、プレート形態の家具部分は、改良された固定手段によって支持部に対して固定できる。
【課題を解決するための手段】
【０００８】
本発明は、請求項１に記載の特徴によって得られる。本発明のさらなる有利な形態は従属請求項に記載されている。
【０００９】
本発明では、その少なくとも一つのタブは、当初位置において受け部の開口部に提供されており、そのタブおよび／または開口部の縁部は、ガイド装置を有しており、開口部の縁部側に横方向に、好適にはネジのねじ込みによって移動されるタブは、保持位置にあるガイド装置によって、開口部から家具部分側へ突き出る。ガイド装置には、その少なくとも一つのタブをプレート形状の家具部分に対して追加の圧力で押圧できる手段が提供されている。
【００１０】
このように支持部は、工場から、開口部とほぼ同一面に配置された１以上のタブが備えられた状態で提供される。このように、扱いが困難で組立工員を傷つける可能性がある突起タブは存在しない。取り付けたときのみ、タブは、家具部分の方向に出て、それを確実に固定する。
【００１１】
この目的のために特殊な形態の工具を必要としないので、組立も容易であり、商業的に入手可能なネジと、適切なドライバーのみを必要とする。好適には傾斜面または丸形状部のガイド装置によってねじ込まれるとき、その少なくとも一つのタブは移動される。この場合には、組立作業時に、タブは、開口部から出て、引出し底部の材料にさほど侵入することなく引出し底部の下側に接し、よって面倒なタブの引出し底部の木材へのプレス作業を排除することができる。タブは、引出し底部の下側に接し、それを上方向に付勢する。この場合、引出し底部の上側は、提供された受け部に支持される。受け部は、引出しフレーム部材上の突出部の形状でよく、組立位置の引出し中央側に突き出る。
【００１２】
本発明の一実施態様では、好適には受け部は、ネジを受領するためのほぼ円状の穴を有する。このように、受け部は、ねじ込みのための特定の取り付け位置を有し、それによってその少なくとも一つのタブが開口部の縁部側に向かって横方向に移動できる。
【００１３】
別な実施態様では、好適にはネジ軸周囲で互いに回転可能であり、ねじ込みすることによって、それぞれ相対的に移動可能な少なくとも二つのタブが提供される。特にその少なくとも二つのタブは、それによって引出し底部のための拡大された支持面を提供するよう、相対的にねじ込むことによって広がることができる。
【００１４】
本発明による引出し側壁は、説明したような少なくとも一つの支持部によって特徴付けられる。本発明による引出しは、少なくとも一つのそのような引出し側壁を有する。
【００１５】
本発明のさらなる詳細や利点を図面に図示された実施例によって解説する。
【図面の簡単な説明】
【００１６】
【図１】図１は、引出し延伸ガイドによって家具枠体に対して移動可能に取り付けられた引出しを備えた家具の斜視図である。
【図２】図２は、引出しの断面斜視図である。
【図３ａ】図３ａは、引出しの下側の斜視図である。
【図３ｂ】図３ｂは、引出しの当初状態にあるタブの詳細を示す斜視図である。
【図３ｃ】図３ｃは、引出しのねじ込み状態にあるタブの詳細を示す斜視図である。
【図４ａ】図４ａは、引出し側壁に接続され、その上に引出し底部用の受け部が配置されるレールの斜視図である。
【図４ｂ】図４ｂは、引出し側壁に接続され、その上に引出し底部用の受け部が配置されるレールの当初状態の詳細を示す斜視図である。
【図４ｃ】図４ｃは、ねじ込み状態にあるタブの詳細を示す斜視図である。
【図６ａ】図６ａは、傾斜面の構造に関する多様なオプションを示している。
【図６ｂ】図６ｂは、傾斜面の構造に関する多様なオプションを示している。
【図６ｃ】図６ｃは、傾斜面の構造に関する多様なオプションを示している。
【図７ａ】図７ａは、タブを一つだけ備えた本発明の別実施例を示している。
【図７ｂ】図７ｂは、タブを一つだけ備えた本発明の別実施例を示している。
【発明を実施するための形態】
【００１７】
図１は、家具１の斜視図であり、引出し３は、引出し延伸ガイド４によって家具枠体２に対して移動可能に取り付けられている。図示の実施例では、引出し延伸ガイド４は、３部分レールシステムの形態であり、家具枠体２に固定される枠体レール５、それに対して移動可能な中央レール６、および引出し３に取り付けられる支持部（ここでは見えない）に接続される延伸可能な引出しレール７を有している。
【００１８】
しかしながら、引出し延伸ガイド４は、延伸可能なレールを１本だけ備えた２部分レールシステムの形態も可能であり、この場合、引出し３に取り付けられる支持部は、引出しを最大限に延伸させるための引出しレールとして作用することもできる。引出し底部８をそれぞれ有する引出し３は、以降の図面で説明するように、支持部に接続される。
【００１９】
図２は、引出し側壁９、前方パネル１０、後壁１１および引出し底部８を備えた引出し３の断面斜視図である。まだ説明されていない引出し底部８の固定は、側壁９への接続だけでなく、後壁１１および／または前方パネル１０への接続にも適している。引出し側壁９は、二重壁空洞チャンバフレーム部材の形態である。
【００２０】
図３ａは、引出し３の下側の斜視図であり、支持部１２は、引出し側壁９に接続されているか、接続される。支持部１２は、断面がほぼＳ形状またはＺ形状のレール部材の形態である。支持部１２は、受け部１３上に提供されたタブ１４およびネジ１５によって引出し底部８の下側に接続される受け部１３を有する。
【００２１】
図３ｂは、図３ａの丸で囲んだ領域の詳細図であり、ネジ１５は、受け部１３の穴に既に挿入されている。図３ｂから分かるように、当初位置にある２つの打ち抜かれたタブ１４は、受け部１３の開口部２５とほぼ同一面に配置されており、このようにして受け部１３と共通面を形成している。２つのタブ１４は、ネジ１５をねじ込むことによってネジ１５の移動方向に付勢され、この場合、２つのタブ１４は、図３ｃに示すように、ネジ軸に対して広がっている。したがって、２つの刃形状のタブ１４は、引出し底部８とネジ１５の頭部から離れて面している受け部１３の側との間を押圧する。
【００２２】
図４ａは、そこに接続され、取り付け位置では水平である受け部１３を備えた断面がＵ形状部を形成する支持部１２の斜視図である。水平の受け部１３には複数の対となった、支持部１２の長手方向に離れて提供されている。それぞれがネジ１５によって広げられるタブ１４が配置されている。
【００２３】
図４ｂは、図４ａの丸で囲んだ領域の拡大図であり、２つの刃形状のタブ１４は、当初は受け部１３と共通面を形成している。図示の実施例では、２つのタブ１４は、ほぼ対称であり、それぞれが自由端を有する刃形状である。受け部１３は、ネジ１５を受領するため、好適にはほぼ丸形状の穴１６を有しており、穴１６は、タブ１４の自由端の反対端部領域に配置されている。２つのタブ１４は、開口部１６から支持部１２の長手方向に延びる溝１７によって互いに分離されている。開口部２５の縁部（例えば傾斜面または丸形状）に配置されたガイド装置１８も図示されており、タブ１４は、ガイド装置１８の助けで共通面から出ることができる。
【００２４】
図４ｃは、完全にねじ込まれたネジ１５を示しており、２つのタブ１４は、互いに広がっており、取り付け状態では、引出し底部８の下側に接している。この場合、ネジ１５は、木材で成る引出し底部８にねじ込まれている。ガイド装置１８は、同様の形態でタブ１４、または開口部２５の縁部とタブ１４の両方に提供することもできる。
【００２５】
図５ａは、そこに配置された引出し底部８を備えた引出し側壁９の断面図である。引出し側壁９に配置され、そこに引出し底部８の上側がネジ１５のねじ込みによって押圧される水平受部分１９が示されている。
【００２６】
図５ｂは、図５ａの丸で囲んだ領域の拡大詳細図である。図５ａでは、ネジ１５は、まだねじ込まれておらず、この場合、引出し底部８の上側と、引出し側壁９上の突出部形態の受部分１９との間にはまだ溝２０が存在する。図５ｃに示すように、ネジ１５をねじ込むことで、タブ１４が引出し底部８の下側に接し、受部分１９に対して引出し底部８の上側を押圧するよう、２つのタブ１４は、共に引出し底部８の下側に向かって互いに広がっている。引出し底部８の上側が引出し側壁９との溝のない状態で終結するよう、図５ｂに示す溝２０は、図５ｃではもはや存在しない。引出し３の内側に面する引出し側壁８は、引出し底部８の上側に対してほぼ垂直である。
【００２７】
図６ａから図６ｃは、ガイド装置１８の多様な形態を示しており、それによって、タブ１４は取り付け状態の引出し底部８の方向に、開口部２５から出ることができる。図６ａでは、ガイド装置１８は受け部１３の縁部に配置されており、タブ１４自体は自身の傾斜面を有していない。タブ１４を傾斜面の形態のガイド装置１８側に移動すると、タブ１４が持ち上げられ、垂直矢印の方向に移動される。一方、図６ｂでは、ガイド装置１８はタブ１４の上に配置されている。タブ１４を受け部１３の方向に移動すると、タブはガイド装置１８によって受け部１３に対して上昇される。
【００２８】
図６ｃは、受け部１３の縁部とタブ１４とが対応するガイド装置１８を有する状況を示している。ネジ１５をねじ込むことによって、タブ１４は、受け部１３の縁部に対して横方向に移動し、協調する傾斜面１８によって持ち上げられる。ガイド装置１８は、例えば傾斜面または丸形状でよい。
【００２９】
図７ａは、別な実施例を示しており、ネジ１５をねじ込むことによって家具部分の方向に一つのタブ１４だけが移動でき、ネジ軸周囲で回転できる。図７ｂに示すように、ネジ１５がタブ１４にねじ込まれると、ガイド装置１８（図示の実施例では受け部の曲げ上げられた部分によって形成されている。）によって、ネジ頭から離れた受け部の側部と固定される家具部分との間に押し込まれ、家具部分は、受け部１３に対して締め付け固定される。
【００３０】
本発明は、図示の実施例に限定されず、「請求の範囲」内の全ての変形例および技術的均等物にも及ぶ。上、横などの説明において採用した位置関係は、説明した図に関するものであり、位置の変化に応じて適宜変更すべきものである。
【図１】
0005878545.tif 000002
【図２】
0005878545.tif 000003
【図３ａ】
0005878545.tif 000004
【図３ｂ】
0005878545.tif 000005
【図３ｃ】
0005878545.tif 000006
【図４ａ】
0005878545.tif 000007
【図４ｂ】
0005878545.tif 000008
【図４ｃ】
0005878545.tif 000009
【図５ａ】
0005878545.tif 000010
【図５ｂ】
0005878545.tif 000011
【図５ｃ】
0005878545.tif 000012
【図６ａ】
0005878545.tif 000013
【図６ｂ】
0005878545.tif 000014
【図６ｃ】
0005878545.tif 000015
【図７ａ】
0005878545.tif 000016
【図７ｂ】
0005878545.tif 000017